(57)【要約】【課題】  防水性に優れた時計を得ること。【解決手段】  文字板２１が設けられた前板２０と、前板の前面に装着される透明板３０と、前板と透明板とを固定するボルトbolt１及び雌ねじ部材４０と、雌ねじ部材に装着されたカバー体５０とを備え、前板には、ボルトを挿通する孔部２２を設け、透明板は、孔部に挿通したボルトを雌ねじ部材に螺合することにより、前板と雌ねじ部材との間に固定され、カバー体は、前板に密着する第１シール部５１と、透明板に密着する第２シール部５２とを有する構成とした。また、前板と透明板との間にシール部材６０を配置したりもする。更に、前板２０及び裏蓋７０には、計時機構を囲む環状のリブ２０ａ，７０ａをそれぞれ設け、前板のリブと裏蓋のリブと間には、シール部材８０を装着し、シール部材は、前板に設けたリブを嵌装する第１凹部８１と、裏蓋に設けたリブを嵌装する第２凹部８２とを有する構成とした。【選択図】図５
2006071333.tif 000002
【特許請求の範囲】
【請求項１】
文字板が設けられた前板と、前記前板の前面に装着される透明板と、前記前板と前記透明板とを固定するボルト及び雌ねじ部材と、前記雌ねじ部材に装着されたカバー体とを備え、
前記前板には、前記ボルトを挿通する孔部を設け、
前記透明板は、前記孔部に挿通したボルトを前記雌ねじ部材に螺合することにより、前記前板と前記雌ねじ部材との間に固定され、
前記カバー体は、前記前板に密着する第１シール部と、前記透明板に密着する第２シール部とを有することを特徴とする時計。
【請求項２】
前記雌ねじ部材は、前記透明板の縁を囲む環状の部材であるとともに、前記カバー体は、前記雌ねじ部材を覆う環状の弾性部材であることを特徴とする請求項１記載の時計。
【請求項３】
前記前板と前記透明板との間にシール部材を配置したことを特徴とする請求項１又は２記載の時計。
【請求項４】
文字板が設けられた前板と、前記前板の背面に装着される裏蓋と、前記前板と前記裏蓋との間に配置された計時機構とを備え、
前記前板及び前記裏蓋には、前記計時機構を囲む環状のリブをそれぞれ設け、
前記前板のリブと前記裏蓋のリブと間には、シール部材を装着し、
前記シール部材は、前記前板に設けたリブを嵌装する第１凹部と、前記裏蓋に設けたリブを嵌装する第２凹部とを有することを特徴とする時計。
【発明の詳細な説明】
【技術分野】
【０００１】
本発明は、防水性を向上してなる時計に関する。
【背景技術】
【０００２】
一般に、時計の防水は、時計枠を構成する各部材の間に弾性を有する樹脂製のシール部材を配置してなされている。シール部材を用いて時計を防水する構成は、特許文献１乃至３等にも開示されている。
【特許文献１】特開平９−３１８７７０号公報
【特許文献２】特開２００１−２９６３７５号公報
【特許文献３】特開２００１−２８９９６７号公報
【発明の開示】
【発明が解決しようとする課題】
【０００３】
さて近年、時計のデザインは益々多様化される傾向にあり、時計枠についても、デザイン性、組み立て性、及び防水性をより合理的に確保できる構成が必要とされている。本発明は、かかる事情に鑑みてなされたものであり、その目的は、特に防水性に優れた時計を得ることである。
【課題を解決するための手段】
【０００４】
本願第１請求項に記載した発明は、文字板が設けられた前板と、前記前板の前面に装着される透明板と、前記前板と前記透明板とを固定するボルト及び雌ねじ部材と、前記雌ねじ部材に装着されたカバー体とを備え、前記前板には、前記ボルトを挿通する孔部を設け、前記透明板は、前記孔部に挿通したボルトを前記雌ねじ部材に螺合することにより、前記前板と前記雌ねじ部材との間に固定され、前記カバー体は、前記前板に密着する第１シール部と、前記透明板に密着する第２シール部とを有する構成の時計である。
【０００５】
本願第２請求項に記載した発明は、請求項１において、前記雌ねじ部材は、前記透明板の縁を囲む環状の部材であるとともに、前記カバー体は、前記雌ねじ部材を覆う環状の弾性部材である構成の時計である。
【０００６】
本願第３請求項に記載した時計は、請求項１又は２において、前記前板と前記透明板との間にシール部材を配置した構成の時計である。
【０００７】
本願第４請求項に記載した時計は、文字板が設けられた前板と、前記前板の背面に装着される裏蓋と、前記前板と前記裏蓋との間に配置された計時機構とを備え、前記前板及び前記裏蓋には、前記計時機構を囲む環状のリブをそれぞれ設け、前記前板のリブと前記裏蓋のリブと間には、シール部材を装着し、前記シール部材は、前記前板に設けたリブを嵌装する第１凹部と、前記裏蓋に設けたリブを嵌装する第２凹部とを有する構成の時計である。
【発明の効果】
【０００８】
本発明によれば、防水性に優れた時計を得ることができる。
【発明を実施するための最良の形態】
【０００９】
以下に、本発明の実施例を図面に基づいて詳細に説明する。図１乃至図６に示す本例の時計１は、アナログ式の壁掛け時計である。また、本時計１は、標準時刻電波を受信して時刻を修正する電波修正時計である。図１は、時計を示す正面図である。図２は、時計を示す背面図である。図３は、時計を示す側面断面図である。図４は、時計の内部を示す背面図である。図５は、図２のａ−ａ断面図である。図６は、図２のｂ−ｂ断面図である。
【００１０】
以下、本例の時計１の構成を、その組み付け手順に従って説明する。先ず、文字板２１が設けられた前板２０に、所定の計時機構を設ける。本例の計時機構は、前板２０の正面（文字板２１上）に指針１１を配置するとともに、前板２０の背面に指針１１を駆動するムーブメント１２と、当該時計１を制御する回路基板１３と、標準時刻電波を受信する電波受信手段１４と、当該時計１の電源１５と、当該時計１を操作するためのスイッチ手段１６とを設けてなるものである。
【００１１】
次に、前板２０の前面にガラス製又は樹脂製の透明板３０を装着する。前板２０には、所定の間隔で孔部２２が設けられており、透明板３０は、各孔部２２に挿通した第１ボルトbolt１をそれぞれ雌ねじ部材４０に螺合することにより、前板２０と雌ねじ部材４０との間に固定される。
【００１２】
本例の雌ねじ部材４０は、硬質樹脂を所定の形状に成形してなるものであり、透明板３０の縁を囲む環状の部材である。雌ねじ部材４０の要所には、第１ボルトbolt１を螺合する雌ねじ部４１が所定の間隔で設けられている。また、雌ねじ部材４０には、これを部分的に覆うカバー体５０が装着されている。
【００１３】
カバー体５０は、軟質樹脂を所定の形状に成形してなるものであり、前板２０に密着する第１シール部５１と、透明板３０に密着する第２シール部５２とを有する環状の弾性部材である。第１ボルトbolt１を締め付けると、第１シール部５１が前板２０と雌ねじ部材４０との間で圧迫されるとともに、第２シール部５２が透明板３０と雌ねじ部材４０との間で圧迫される。すなわち、第１シール部５１が前板２０に密着してそれらの隙間が密閉され、且つ第２シール部５２が透明板３０に密着してそれらの隙間が密閉される。このような構成によると、外部からの水の進入を合理的に防止することができる。また、カバー体５０は、文字板２１を縁取る飾りになるという利点もある。カバー体５０の色彩は、赤色、青色、黄色、オレンジ色等、任意に設定することが可能である。
【００１４】
更に、本例においては、前板２０と透明板３０との間にも、Ｏリングたる第１シール部材６０を配置している。前板２０の要所には、第１シール部材６０を装着する溝部２３が設けられており、第１シール部材６０は、第１ボルトbolt１を螺合する前に溝部２３に装着される。かかる第１シール部材６０によれば、防水の信頼性を一層向上することができる。
【００１５】
次に、前板２０の背面に裏蓋７０を装着する。前板２０の背面に設けられた計時機構、すなわちムーブメント１２、回路基板１３、電波受信手段１４、電源１５、及びスイッチ手段１６は、前板２０と裏蓋７０との間に配置される。
【００１６】
裏蓋７０には、着脱可能な小蓋部７１が設けられており、小蓋部７１を取り外すと、電源１５及びスイッチ手段１６が露呈する構成となっている。また、裏蓋７０の要所には、当該時計１を係止するための掛止め部７２が設けられている。
【００１７】
本例の前板２０及び裏蓋７０には、それらの間に配置された計時機構を囲む環状のリブ２０ａ，７０ａがそれぞれ設けられており、それらのリブ２０ａ，７０ａの間には、第２シール部材８０を装着する構成となっている。
【００１８】
第２シール部材８０は、軟質樹脂を所定の形状に成形してなるものであり、前板２０に設けたリブ２０ａを嵌装する第１凹部８１と、裏蓋７０に設けたリブ７０ａを嵌装する第２凹部８２とを有する環状の弾性部材である。
【００１９】
前板２０及び裏蓋７０は、各リブ２０ａ，７０ａに第２シール部材８０を嵌装しつつ組み付けられ、第２ボルトbolt２にてねじ止めされる。裏蓋７０には、第２ボルトbolt２を挿通する孔部７３が所定の間隔で設けられており、前板２０には、第２ボルトbolt２を螺合する雌ねじ部２４が所定の間隔で設けられている。
【００２０】
第２ボルトbolt２を締め付けると、第２シール部材８０が各リブ２０ａ，７０ａの間で圧迫され、それらの隙間が密閉される。このような構成によると、外部からの水の進入を合理的に防止することができる。
【００２１】
以上説明したように、本例によれば、デザイン的に工夫を凝らすとともに、その防水性を向上してなる時計を得ることができる。尚、本例における各部の構成は、特許請求の範囲に記載した技術的範囲において適宜に設計変更が可能であり、図例説明したものに限定されないことは勿論である。特に、本例の時計は壁掛け時計であるが、その構成は、置き時計、目覚し時計、携帯時計等に応用することも可能である。
【産業上の利用可能性】
【００２２】
本発明の時計は、防水性に優れたものであり、壁掛け時計、置き時計、目覚し時計、又は携帯時計として好適に利用することができる。
【図面の簡単な説明】
【００２３】
【図１】本発明の実施例に係り、時計を示す正面図である。
【図２】本発明の実施例に係り、時計を示す背面図である。
【図３】本発明の実施例に係り、時計を示す側面断面図である。
【図４】本発明の実施例に係り、時計の内部を示す背面図である。
【図５】本発明の実施例に係り、図２のａ−ａ断面図である。
【図６】本発明の実施例に係り、図２のｂ−ｂ断面図である。
【符号の説明】
【００２４】
１    時計
１１    指針
１２    ムーブメント
１３    回路基板
１４    電波受信手段
１５    電源
１６    スイッチ手段
２０    前板
２０ａ    リブ
２１    文字板
２２    孔部
２３    溝部
２４    雌ねじ部
３０    透明板
４０    雌ねじ部材
４１    雌ねじ部
５０    カバー体
５１    第１シール部
５２    第２シール部
６０    第１シール部材
７０    裏蓋
７０ａ    リブ
７１    小蓋部
７２    掛止め部
７３    孔部
８０    第２シール部材
８１    第１凹部
８２    第２凹部
bolt１    第１ボルト
bolt２    第２ボルト
【図１】
2006071333.tif 000003
【図２】
2006071333.tif 000004
【図３】
2006071333.tif 000005
【図４】
2006071333.tif 000006
【図５】
2006071333.tif 000007
【図６】
2006071333.tif 000008